(57)【要約】      （修正有）【課題】容易に着用可能で、身体への負担を軽減可能な使い捨て着用物品を提供する。【解決手段】使い捨て着用物品であるおむつは、横方向Ｘ及び縦方向Ｙを有し、前ウエスト域１１と、後ウエスト域１２の間に位置するクロッチ域１３と、吸収体２３を有する本体と、前後ウエスト域を連結する一対のウエストベルト１７，１８を含む。本体は、縦方向に対向する前端部２０Ａ及び後端部２０Ｂと、横方向に対向する第１側縁部２０Ｃ及び第２側縁部２０Ｄを有している。一対のウエストベルトは、横方向へ弾性を有して身体に本体をホールドさせるもので、本体の前端部の第１側縁部の側から延びる前ウエストベルトと、後端部の第２側縁部の側から延びる後ウエストベルトを備えている。前ウエストベルトは、本体の後端部の第１側縁部に止着可能な第１端部１７Ａを有し、後ウエストベルトは、本体の前端部の第２側縁部に止着可能な第２端部１８Ａを有している。【選択図】図２
2019118544.tif 000002
【特許請求の範囲】
【請求項１】
横方向及び縦方向を有し、前ウエスト域と、後ウエスト域と、前後ウエスト域の間に位置するクロッチ域と、吸収体を有する本体と、前記前後ウエスト域を連結するための一対のウエストベルトとを含む使い捨て着用物品において、
前記本体は、前記縦方向において対向する前端部及び後端部と、前記横方向において対向する第１側縁部及び第２側縁部とを有し、
前記一対のウエストベルトは、前記横方向へ弾性を有して着用者の身体に前記本体をホールドさせるものであって、前記本体の前記前端部の前記第１側縁部の側から延びる前ウエストベルトと、前記本体の前記後端部の前記第２側縁部の側から延びる後ウエストベルトとを備え、
前記前ウエストベルトは、前記本体の前記後端部の前記第１側縁部に止着可能な第１端部を有し、
前記後ウエストベルトは、前記本体の前記前端部の前記第２側縁部に止着可能な第２端部を有することを特徴とする使い捨て着用物品。
【請求項２】
前記第１端部に含まれる端縁及び前記第２端部に含まれる端縁は、前後ウエストベルトが収縮した状態において、前記横方向及び前記縦方向に対して傾斜する請求項１に記載の使い捨て着用物品。
【請求項３】
前記本体は、前記横方向の寸法を２等分する縦中心線を有し、
前記前ウエストベルトは、前記前ウエスト域において前接合ラインを介して前記本体に接合し、
前記後ウエストベルトは、前記後ウエスト域において後接合ラインを介して前記本体に接合し、
前記本体の前記後端部は、前記前ウエストベルトの前記第１端部を止着可能な第１止着域を有し、
前記本体の前記前端部は、前記後ウエストベルトの前記第２端部を止着可能な第２止着域を有し、
前記第１止着域は、少なくとも後端縁側における前記横方向において、前記第１側縁部側から前記縦中心線までの寸法と、前記縦中心線から前記第２側縁部側までの寸法とが異なり、
前記第２止着域は、少なくとも前端縁側における前記横方向において、前記第２側縁部側から前記縦中心線までの寸法と、前記縦中心線から前記第１側縁部側までの寸法と異なる請求項１に記載の使い捨て着用物品。
【請求項４】
前記前接合ラインおよび前記後接合ラインは、前記前後ウエストベルト並びに前記本体を形成しているシートどうしを合掌状に重ね、それらのシートどうしを非肌対向面に位置するシーム域によって接合してある請求項３に記載の使い捨て着用物品。
【請求項５】
前記後接合ラインにおける前記後ウエストベルトと前記本体との接合力が、前記前接合ラインにおける前記前ウエストベルトと前記本体との接合力よりも大きい請求項４に記載の使い捨て着用物品。
【請求項６】
前記本体は前記縦方向へ延びる複数条のレッグ弾性体を有し、
前記前後接合ラインは前記縦方向及び前記横方向に対して傾斜する請求項３〜５のいずれかに記載の使い捨て着用物品。
【請求項７】
前記第１止着域は、前記第１側縁部の側から前記縦中心線を超えて前記第２側縁部の側へ延び、
前記第２止着域は、前記第２側縁部の側から前記縦中心線を超えて前記第１側縁部の側へ延びる請求項３〜６のいずれかに記載の使い捨て着用物品。
【請求項８】
前記第１及び第２端部のそれぞれには、メカニカルファスナのフック要素で構成された第１フック部と第２フック部とを配置してあり、
前記第１フック部と前記第２フック部とは、相互に形状が相違するとともに、前記縦方向において離れるように配置してある請求項１〜７のいずれかに記載の使い捨て着用物品。
【請求項９】
前記吸収体の吸収体両側縁は、前記縦方向へ延びる直線状であるか、又は前記縦方向の中央へ向かうにしたがい互いに離隔距離が小さくなる凹曲状である請求項１〜８のいずれかに記載の使い捨て着用物品。
【請求項１０】
前記前後ウエストベルトは、着用状態において上方に位置する上方部分と、下方に位置する下方部分とを有し、
前記上方部分における前記横方向の伸長応力が、前記下方部分における前記横方向の伸長応力よりも大きい請求項１〜９のいずれかに記載の使い捨て着用物品。
【発明の詳細な説明】
【技術分野】
【０００１】
本発明は、一対のウエストベルトを有する使い捨て着用物品に関する。
【背景技術】
【０００２】
従来、横方向及び縦方向を有し、前ウエスト域と、後ウエスト域と、前後ウエスト域の間に位置するクロッチ域と、吸収体を有するおむつ本体と、前後ウエスト域を連結するための一対のウエストベルトとを含む着用物品は、公知である。例えば、特許文献１には、おむつ本体は、縦方向において対向する前端部及び後端部と、横方向において対向する第１側縁及び第２側縁を有し、着用物品は、おむつ本体の前端部又は後端部から横方向へそれぞれ延びる２本のウエストベルトを有している。
【０００３】
２本のウエストベルトの側縁部は、おむつ本体に止着可能な端部を有し、着用時、おむつ本体にウエストベルトの端部を止着させていた。
【０００４】
この着用物品によれば、おむつ本体と、ウエストベルトの止着域とをずらせば、着用物品のサイズを調整することが可能である。
【先行技術文献】
【特許文献】
【０００５】
【特許文献１】特開平０９−１０２６１号公報
【発明の概要】
【発明が解決しようとする課題】
【０００６】
しかしながら、特許文献１に開示されている発明であって、おむつ本体の前端部側にウエストベルトの双方が取り付けられているおむつでは、着用者は、２本のウエストベルトの側部のそれぞれを背中側でおむつ本体に止着させなければならないため、ウエストベルトの側部を取り付けるおむつ本体の後端部を目視できず、容易に止着することができない課題があった。
【０００７】
一方、おむつ本体の後端部側にウエストベルトの双方が取り付けられているおむつでは、着用者は、体をそれぞれひねって２本のウエストベルトの側部を腹側に持ってこなければ着用することができないため、着用者の身体に負担がかかるおそれがあった。
【０００８】
そこで、本発明は、従来の使い捨ておむつの改良であって、容易に着用することができるとともに、着用者の身体への負担を軽減することができる使い捨て着用物品を提供することにある。
【課題を解決するための手段】
【０００９】
本発明は、横方向及び縦方向を有し、前ウエスト域と、後ウエスト域と、前後ウエスト域の間に位置するクロッチ域と、吸収体を有する本体と、前後ウエスト域を連結するための一対のウエストベルトとを含む使い捨て着用物品に関する。
【００１０】
本発明に係る使い捨て着用物品において、前記本体は、前記縦方向において対向する前端部及び後端部と、前記横方向において対向する第１側縁部及び第２側縁部とを有し、前記一対のウエストベルトは、前記横方向へ弾性を有して着用者の身体に前記本体をホールドさせるものであって、前記本体の前記前端部の前記第１側縁部の側から延びる前ウエストベルトと、前記本体の前記後端部の前記第２側縁部の側から延びる後ウエストベルトとを備え、前記前ウエストベルトは、前記本体の前記後端部の前記第１側縁部に止着可能な第１端部を有し、前記後ウエストベルトは、前記本体の前記前端部の前記第２側縁部に止着可能な第２端部を有することを特徴とする。
【００１１】
使い捨て着用物品における前記第１端部に含まれる端縁及び前記第２端部に含まれる端縁は、前後ウエストベルトが収縮した状態において、前記横方向及び前記縦方向に対して傾斜する。これによって、前後ウエストベルトの上下が容易に分かる。
【００１２】
使い捨て着用物品の前記本体は、前記横方向の寸法を２等分する縦中心線を有し、前記前ウエストベルトは、前記前ウエスト域において前接合ラインを介して前記本体に接合し、前記後ウエストベルトは、前記後ウエスト域において後接合ラインを介して前記本体に接合し、前記本体の前記後端部は、前記前ウエストベルトの前記第１端部を止着可能な第１止着域を有し、前記本体の前記前端部は、前記後ウエストベルトの前記第２端部を止着可能な第２止着域を有し、前記第１止着域は、少なくとも後端縁側における前記横方向において、前記第１側縁部側から前記縦中心線までの寸法と、前記縦中心線から前記第２側縁部側までの寸法とが異なり、前記第２止着域は、少なくとも前端縁側における前記横方向において、前記第２側縁部側から前記縦中心線までの寸法と、前記縦中心線から前記第１側縁部側までの寸法と異なる。これによって、第１及び第２止着域の横方向の寸法を大きくできるため、着用が容易になる。
【００１３】
使い捨て着用物品において、前記前接合ラインおよび前記後接合ラインは、前記前後ウエスト域及び前記本体を形成しているシートどうしを合掌状に重ね、それらのシートどうしを非肌対向面に位置するシール部によって接合してある。これによって、着用者の肌にシール部が接触するのを防ぎ、着用物品のはき心地が低下するのを防止することができる。
【００１４】
使い捨て着用物品において、前記後接合ラインにおける前記後ウエストベルトと前記本体との接合力が、前記前接合ラインにおける前記前ウエストベルトと前記本体との接合力よりも大きい。これによって、着用物品の廃棄時、前ウエスト域における本体と前ウエストベルトとの間に位置する前接合ライン若しくはそのラインの近傍を簡単に破ることができるから、容易に廃棄することができる。
【００１５】
使い捨て着用物品における前記本体は前記縦方向へ延びる複数条のレッグ弾性体を有し、前記前後接合ラインは前記縦方向及び前記横方向に対して傾斜する。これによって、着用物品の着用時、前ウエストベルト又は後ウエストベルトを横方向へ伸長させると、それによって本体も縦方向へ伸長するため、着用状態において、本体を着用者の身体にフィットさせることができる。
【００１６】
使い捨て着用物品における本体は、前記横方向の寸法を２等分する縦中心線を有し、前記本体の前記後端部は、前記前ウエストベルトの前記第１端部を止着可能な第１止着域を有し、前記本体の前記前端部は、前記後ウエストベルトの前記第２端部を止着可能な第２止着域を有し、前記第１止着域は、前記第１側縁部の側から前記縦中心線を超えて前記第２側縁部の側へ延び、前記第２止着域は、前記第２側縁部の側から前記縦中心線を超えて前記第１側縁部の側へ延びる。これによって、第１止着域及び第２止着域が横方向へ大きいため、着用物品の着用時、第１端部を第１止着域に容易に止着することができるとともに、第２端部を第２止着域に容易に止着することができる。
【００１７】
使い捨て着用物品において、前記第１及び第２端部のそれぞれには、メカニカルファスナのフック要素で構成された上方フック部と下方フック部とを配置してあり、前記上方フック部と前記下方フック部とは、相互に形状が相違するとともに、前記縦方向において離れるように配置してある。これによって、着用物品の上下を容易に認識することができる。加えて、上方フック部と下方フック部とは、縦方向において離れるように配置してあるため、着用物品の着用時、上方フック部及び下方フック部を個別に取り付けることが可能であるため、しわを可及的に少なくして着用することが可能になる。
【００１８】
使い捨て着用物品における吸収体の吸収体両側縁は、前記縦方向へ延びる直線状であるか、又は前記縦方向の中央へ向かうにしたがい互いに離隔距離が小さくなる凹曲状である。これによって、着用物品の着用時、両脚の間に位置する吸収体が両脚の動きの邪魔になるのを抑えることができる。
【００１９】
使い捨て着用物品における前後ウエストベルトは、着用状態において上方に位置する上方部分と、下方に位置する下方部分とを有し、上方部分における前記横方向の伸長応力が、前記下方部分における前記横方向の伸長応力よりも大きい。これによって、着用状態において、前後ウエストベルトの上方部分を着用者の身体にフィットさせ、着用物品が下方へ落ちるのを抑えることができる。
【発明の効果】
【００２０】
本発明に係る使い捨て着用物品によれば、一対のウエストベルトは、横方向へ弾性を有して着用者の身体に前記本体をホールドさせるものであって、本体の前端部の第１側縁部の側から延びる前ウエストベルトと、本体の後端部の前記第２側縁部の側から延びる後ウエストベルトとを備え、前ウエストベルトは、前記本体の前記後端部の前記第１側縁部に止着可能な第１端部を有し、後ウエストベルトは、前記本体の前記前端部の前記第２側縁部に止着可能な第２端部を有する。これによって、前後ウエストベルトの第１及び第２側縁部を腹側へ持ってくる動作が不要となるため、着用者の身体への負担を軽減することができる。さらに、後ウエストベルトの第２側縁部は、腹側で本体に連結することができるため、視認しながら第２側縁部を本体に止着することができ、これによって、着用物品を容易に着用することができる。
【図面の簡単な説明】
【００２１】
図面は、本発明の特定の実施の形態を示し、発明の不可欠な構成ばかりでなく、選択的及び好ましい実施の形態を含む。
【図１】本発明の第１実施形態における使い捨て着用物品の一例として示す、使い捨ておむつの着用状態を示す斜視図。
【図２】本体とウエストベルトとを縦方向と横方向とに伸長した状態における展開平面図。
【図３】本体の平面図。
【図４】（ａ）図３のＩＶ（ａ）−ＩＶ線（ａ）に沿う断面図。（ｂ）図３のＩＶ（ｂ）−ＩＶ線（ｂ）に沿う断面図。
【図５】（ａ）図２のＶ（ａ）線で囲んだ領域の一部拡大図。（ｂ）図２のＶ（ｂ）線で囲んだ領域の一部拡大図。
【図６】（ａ）身体におむつを着用させる際において、後ウエストベルトの第２端部と、本体の前端部とを連結させる状態を、腹側（前側）から視た説明図。（ｂ）（ａ）の後、前ウエストベルトの第１端部と、本体の後端部とを連結させる状態を、背側（後側）から視た説明図。
【図７】おむつの変形例における後ウエストベルトの第２端部を示す説明図。
【図８】第２実施形態のおむつの図２と同様の展開平面図。
【図９】（ａ）図８のＩＸ（ａ）線で囲んだ領域の一部拡大図。（ｂ）図８のＩＸ（ｂ）線で囲んだ領域の一部拡大図。
【発明を実施するための形態】
【００２２】
下記の各実施の形態は、本発明の着用物品の一例である使い捨ておむつに関し、発明の不可欠な構成ばかりではなく、選択的及び好ましい構成を含む。図２〜図４において、後述する各弾性体は、その収縮力に抗して、横方向Ｘ及び縦方向Ｙへの収縮力により、各弾性体が取り付けられた部材に生じたギャザーが自然な視覚によって実質的に無くなっているように見える程度にまで伸長された状態にある。
【００２３】
図１〜図３を参照すると、本発明に係る使い捨ておむつ１０は、互いに交差（直交）する横方向Ｘ及び縦方向Ｙと、肌対向面及びその反対側の非肌対向面と、横方向Ｘの長さ寸法を２等分する縦中心線Ｐとを有し、前ウエスト域１１と、後ウエスト域１２と、前ウエスト域１１および後ウエスト域１２の間に位置するクロッチ域１３と、吸収体２３を有する本体（おむつ本体）１６と、前後ウエスト域１１，１２を連結するための一対の前ウエストベルト１７及び後ウエストベルト１８とを含む。
【００２４】
前ウエストベルト１７と後ウエストベルト１８とは、横方向Ｘへ弾性を有して着用者の身体に本体１６をホールドさせるものである。
【００２５】
前ウエストベルト１７は、前ウエスト域１１における前接合ライン１９Ａを介して本体１６に接合してあり、本体１６の前端部２０Ａの第１側縁部２０Ｃの側から延びている。後ウエストベルト１８は、後ウエスト域１２における後接合ライン１９Ｂを介して本体１６に接合してあり、本体１６の後端部２０Ｂの第２側縁部２０Ｄの側から延びている。
【００２６】
前ウエストベルト１７の幅（縦方向Ｙの寸法）は、本体１６の前ウエスト域１１の縦方向Ｙの寸法と同一である。後ウエストベルト１８の幅（縦方向Ｙの寸法）は、本体１６の後ウエスト域１２の縦方向Ｙの寸法と同一である。
【００２７】
前接合ライン１９Ａは、一方の側縁１６ｃ側から前端縁１６ａ側へ向けて縦中心線Ｐに近づく、複数の独立したシール部から形成されたシールラインによって、本体１６に前ウエストベルト１７を固定するものである。後接合ライン１９Ｂは、一方の側縁１６ｄ側から後端縁１６ｂ側へ向けて縦中心線Ｐに近づく、複数の独立したシール部から形成されたシールラインによって、本体１６に後ウエストベルト１８を固定するものである。前接合ライン１９Ａおよび後接合ライン１９Ｂは、前後ウエストベルト１７，１８並びに本体１６を形成しているシートどうしを合掌状に重ね、それらのシートどうしを非肌対向面に位置するシール部によって接合してある。これによって、着用者の肌にシール部が接触するのを防ぎ、着用物品のはき心地が低下するのを防止することができる。シール部は、公知の接合手段、例えば、熱エンボス加工、ソニック加工等の各種の熱溶着手段によって施されている。後記の本実施形態の効果を奏する限りにおいて、前後接合ライン１９Ａ，１９Ｂには、熱溶着手段のほかに、ホットメルト接着剤などの公知の接合手段を用いることもできる。
【００２８】
前ウエストベルト１７は、本体１６の後端部２０Ｂの第１側縁部２０Ｃに止着可能な第１端部１７Ａを有している。前ウエストベルト１７の第１端部１７Ａと、本体１６の前端部２０Ａとは、連結手段７０Ａによって、連結及び分離可能に構成されている。連結手段７０Ａは、例えば、前ウエストベルト１７の第１端部１７Ａに位置し、メカニカルファスナのフック部材で形成した第１フック部７１ａと、本体１６における後ウエスト域１２の非肌対向面に位置し、メカニカルファスナのループ部材で形成した第１ターゲット部（第１止着域）７２ａとで画成されている。
【００２９】
後ウエストベルト１８は、本体１６の前端部２０Ａの第２側縁部２０Ｄに止着可能な第２端部１８Ａを有している。後ウエストベルト１８の第２端部１８Ａと、本体１６の後端部２０Ｂとは、連結手段７０Ｂによって、連結及び分離可能に構成されている。連結手段７０Ｂは、例えば、後ウエストベルト１８の第２端部１８Ａに位置し、メカニカルファスナのフック部材で形成した第２フック部７１ｂと、本体１６における前ウエスト域１１の非肌対向面に位置し、メカニカルファスナのループ部材で形成した第２ターゲット部（第２止着域）７２ｂとで画成されている。
【００３０】
第１ターゲット部７２ａは、第１側縁部２０Ｃの側から縦中心線Ｐを超えて第２側縁部２０Ｄの側へ延び、第２ターゲット部７２ｂは、第２側縁部２０Ｄの側から縦中心線Ｐを超えて第１側縁部２０Ｃの側へ延びる。
【００３１】
第１端部１７Ａに含まれる第１端縁（端縁）１７ａ及び第２端部１８Ａに含まれる第２端縁（端縁）１８ａは、前後ウエストベルト１７，１８が収縮した状態において、横方向Ｘ及び縦方向Ｙに対して傾斜している。これによって、前後ウエストベルト１７，１８の上下方向が容易に分かる。また、連結手段７０Ａ，７０Ｂによって、前後ウエストベルト１７，１８の第１及び第２端部１７Ａ，１８Ａと、本体１６の前後端部２０Ａ，２０Ｂとを連結した着用状態では、上方に位置するウエスト開口１４と、下方に位置する一対のレッグ開口１５とが画成される（図１参照）。
【００３２】
＜本体＞
図３〜図５を参照すると、本体１６は、縦方向Ｙにおいて離間対向する前端縁１６ａ及び後端縁１６ｂと、横方向Ｘにおいて離間対向する両側縁１６ｃ，１６ｄとによって画定されている。本体１６は、さらに、前ウエスト域１１において、前端縁１６ａを含む前端部２０Ａと、後ウエスト域１２において、後端縁１６ｂを含む後端部２０Ｂと、一方の側縁１６ｃを含む第１側縁部２０Ｃと、他方の側縁１６ｄを含む第２側縁部２０Ｄとを有している。前後端縁１６ａ，１６ｂは、それぞれ、縦中心線Ｐに関してほぼ対称であって、縦方向Ｙの外側へ向かって凸状に延びている。前後端部２０Ａ，２０Ｂは、それぞれ、おむつ１０の前後ウエスト域１１，１２に位置し、前端部２０Ａと後端部２０Ｂとの間に位置する中間部２０Ｅはクロッチ域１３に位置する。
【００３３】
本体１６は、肌対向面に位置する透液性の内層シート２１と、非肌対向面に位置する不透液性の外層シート２２と、内外層シート２１，２２の間に位置する吸収体２３と、吸収体２３と外層シート２２との間に位置する難透液性又は不透液性の防漏シート２４とを含む。内外層シート２１，２２の両側には、それらに介在された状態で、横方向Ｘに互いに離間し縦方向Ｙへ延びる一対のサイドシート２５が配置されている。
【００３４】
内層シート２１は、略八角形状をなし、質量が約１０〜３５ｇ／ｍ２、好ましくは約１８〜２４ｇ／ｍ２の親水処理した疎水性のエアスルー繊維不織布、スパンボンド繊維不織布、ポイントボンド繊維不織布等から形成されていることが好ましい。外層シート２２は、内層シート２１とほぼ同形同大であって、質量が約１０〜３０ｇ／ｍ２、好ましくは約１８〜２４ｇ／ｍ２の疎水性のスパンボンド・メルトブローン・スパンボンド（以下ＳＭＳとする）繊維不織布またはスパンボンド繊維不織布から形成されていることが好ましい。
【００３５】
吸収体２３は、縦方向Ｙの外側へ凸曲した吸収体前後端縁２３ａ，２３ｂと、前後端縁間に縦方向Ｙへ延びる吸収体両側縁２３ｃとを有し、所要の形状に賦型された吸液性コアと、吸液性コアを覆うティッシュペーパ等の液拡散性のコアカバーシートとを含む。吸液性コアとしては、木材フラッフパルプ、高吸収性ポリマー粒子、またはこれらの混合物を用いることができる。吸液性コアとコアカバーシートとは、ホットメルト接着剤等の公知の接合手段を用いて互いに接合することができる。
【００３６】
防漏シート２４は、少なくとも吸収体２３の非肌対向面（底面）の全体を覆うように配置されており、吸収体２３と外層シート２２との間において、ホットメルト接着剤等の公知の接合手段によって接合することができる。防漏シート２４としては、例えば、難透液性、好ましくは、不透液性かつ通気性のプラスチックフィルムを用いることができ、防漏シート２４が吸収体２３の非肌対向面の全体を覆うことによって、吸収体２３で吸収された体液がおむつ１０の外側に漏れるのを防止することができる。図示していないが、防漏シート２４に絵柄や色彩等の装飾要素を有するシートを用いて、所要の光線透過率を有する外層シート２２から装飾要素を透過させることもできる。
【００３７】
図４（ａ）を参照すると、一対のサイドシート２５は、吸収体２３の横方向Ｘの両側に配置されており、防漏シート２４と内層シート２１との間において、ホットメルト接着剤等の公知の接合手段によって接合されている。サイドシート２５は、吸収体２３側に位置する第１シート２５Ａと外層シート２２側に位置する第２シート２５Ｂとから形成され、両シート２５Ａ，２５Ｂはホットメルト接着剤等の公知の手段によって接合されている。サイドシート２５としては、例えば、質量が約１０〜３０ｇ／ｍ２の疎水性のＳＭＳ繊維不織布またはスパンボンド繊維不織布を用いることができる。
【００３８】
また、第１シート２５Ａの外側縁部と第２シート２５Ｂの外側縁部との間には、縦方向へ延びる複数条のレッグ弾性体２６と、レッグ弾性体２６の肌対向面側に位置するレッグ弾性シート２７とが配置される。レッグ弾性体２６は、本体１６の前端縁１６ａから後端縁１６ｂまでの間において縦方向Ｙへ伸長状態で収縮可能に取り付けられた複数条のストリング状またはストランド状の弾性材料から形成される。レッグ弾性シート２７は、帯状の弾性部材であって、平ゴムや弾性繊維から形成された弾性伸縮性の繊維不織布から形成される。本体１６の両側部にレッグ弾性体２６とレッグ弾性シート２７とが配置されることによって、吸収体２３の吸収体両側縁２３ｃの横方向Ｘの外側部分には、レッグ弾性域４０が形成される。レッグ弾性域４０は、前ウエスト域１１から後ウエスト域１２まで延びている。本実施形態において、サイドシート２５は２つのシート２５Ａ，２５Ｂから形成されているが、一枚の繊維不織布を折り曲げて固定することによって形成してもよいし、外層シート２２の延出部分から形成してもよい。
【００３９】
＜ウエストベルト＞
図２及び３を参照すると、前ウエストベルト１７は、前接合ライン１９Ａを介して本体１６に接合された一方の端縁（固定端縁）１７ａと、横方向Ｘにおいて一方の端縁１７ａの反対側に位置する他方の端縁（自由端縁）１７ｂと、着用状態において、本体１６の両側縁１６ｃ，１６ｄとともにレッグ開口１５を形成する下側縁１７ｃと、ウエスト開口１４を形成する上側縁１７ｄとを有する。後ウエストベルト１８は、後接合ライン１９Ｂを介して本体１６に接合された一方の端縁（固定端縁）１８ａと、横方向Ｘにおいて一方の端縁１８ａの反対側に位置する他方の端縁（自由端縁）１８ｂと、着用状態において、本体１６の両側縁１６ｃ，１６ｄとともにレッグ開口１５を形成する下側縁１８ｃと、ウエスト開口１４を形成する上側縁１８ｄとを有する。
【００４０】
前後ウエストベルト１７，１８は、上方側に位置する上方部分５１と、レッグ開口側（第２側縁側）に位置する下方部分５２とに区分される。上方部分と下方部分との幅方向の寸法は、それぞれ、前後ウエストベルト１７，１８の幅寸法Ｗ１の約３０〜７０％であって、好ましくは、５０％の大きさを有する。したがって、例えば、通常の成人用のおむつのＭサイズの場合には、前後ウエストベルト１７，１８の幅寸法Ｗ１（図５参照）が、約７０ｍｍであって、上方部分５１及び下方部分５２の幅寸法は約３５ｍｍである。
【００４１】
前後ウエストベルト１７，１８は、繊維不織布製のウエストシート３０から形成された内外層３１，３２を有する。内外層３１，３２の間には、ストリング状又はストランド状の弾性材料から形成された複数条のウエスト弾性体３３，３４が伸長状態で収縮可能に取り付けられている。ウエスト弾性体３３，３４は、上方部分５１に配置された上方ウエスト弾性体３３と、下方部分５２に配置された下方ウエスト弾性体３４とを有する。
【００４２】
ウエストシート３０の下側縁１７ｃ，１８ｃ側には、弾性繊維不織布から形成されたウエスト弾性シート３５が配置されている。ウエスト弾性シート３５は、その一部が、最下に位置する下方ウエスト弾性体３４と重なるように配置されている。また、ウエストシート３０は、上側縁１７ｄ，１８ｄ側において、その一部が内側へ折り曲げられた状態で固定されている。かかる折曲部分３６には、複数の上方ウエスト弾性体３３が配置されている。また、折曲部分３６に配置された上方ウエスト弾性体３３と、ウエストシート３０のうちの折曲部分３６以外の主体部に配置された上方ウエスト弾性体３３とは、それぞれ厚さ方向においてずれていることが好ましい。これにより、上方ウエスト弾性体３３が厚さ方向において重なり合うことによる伸長応力の集中を避けながら、折曲部分３６が存在するウエスト開口縁部は他の領域よりも全体として高い伸長応力を有し、前後接合ライン１９Ａ，１９Ｂとの境界まで弾性体の伸縮力が発揮されるため、着用者のウエスト部分へ高いフィット性を実現し、着用者の動きや排泄物吸収後における自重によるずり落ちを低減することができる。さらに、ウエスト開口縁部に折曲部分３６が位置することによって、光線透過率が局所的に低くなり、よりショーツのような下着らしい外観を呈する。
【００４３】
本実施形態においては、前後ウエストベルト１７，１８の上方部分５１に１０本の上方ウエスト弾性体３３が配置されている。ウエスト開口１４を形成する側に配置された６本の上方ウエスト弾性体３３（折曲部分３６に配置された弾性体を含む）は、太さ４５０〜５００ｄｔｅｘであって、３．０〜３．５倍に伸長された状態で固定されている。また、上方ウエスト弾性体３３のうちのレッグ開口１５を形成する側に配置された４本の弾性体は、太さ６００〜６５０ｄｔｅｘであって、２．５〜３．０倍に伸長された状態で固定されている。下方部分５２には７本の下方ウエスト弾性体３４が配置されており、下方ウエスト弾性体３４は、太さ６００〜６５０ｄｔｅｘであって、２．５〜３．０倍に伸長された状態で固定されている。上方ウエスト弾性体３３と下方ウエスト弾性体３４とにおける各弾性体間のピッチ（離間寸法）は等間隔であって、５．０〜６．０ｍｍである。
【００４４】
レッグ弾性シート２７は、弾性伸縮性の繊維不織布やウレタンシート等からなる帯状の弾性シートを用いることができる。レッグ開口縁部にレッグ弾性シート２７を配置することによってレッグ弾性域４０が着用者の身体に面状にフィットして、横漏れを効果的に防止しうるとともに、弾性糸の食い込み等によるゴム跡の発生を防止することができる。
【００４５】
レッグ弾性シート２７を考慮し、上方部分５１における横方向Ｘの伸長応力が、下方部分５２における横方向Ｘの伸長応力よりも大きくなることが好ましい。例えば、上方ウエスト弾性体３３の太さを、下方ウエスト弾性体３４の太さよりも大きくすれば、上述のように伸長応力を設定することが可能である。上方部分５１における横方向Ｘの伸長応力が、下方部分５２における横方向Ｘの伸長応力よりも大きければ、着用状態において、前後ウエストベルト１７，１８の上方部分５１を着用者の身体にフィットさせ、おむつ１０が下方へ落ちるのを防止することができる。
【００４６】
＜伸長応力の測定方法＞
上方部分５１と下方部分５２との伸長応力は、インストロン  ジャパン  カンパニーリミテッド社製の引張試験機を用いて、以下の方法で測定した。まず、おむつ１０から本体１６を取り除き、ウエスト回り方向へ延びる、前後ウエストベルト１７，１８を得て、前後ウエストベルト１７，１８のうちの幅寸法の中央部分（縦方向Ｙの中央部分）においてウエスト回り方向へ延びるカットラインでカットすることによって、上方部分５１に相当する試料１と、下方部分５２に相当する環状の試料２とを得て、試料１及び２の収縮状態における寸法をそれぞれ測定（Ｋ１，Ｋ２）する。
【００４７】
まず、試料１の伸長応力を測定する場合には、引張試験機の上下フック間の離間距離を試料１の収縮状態における長さ寸法Ｋ１となるように調整して、上フック（固定具）に試料１の一方端を取り付け、下フック（可動具）に試料１の他方端を取付ける。なお、伸長する前に、伸長応力が０．１Ｎになるようにフック間の距離を微調整する。その後、引張試験機をサイクルモードに設定し、３００ｍｍ／ｍｉｎの引張スピードで上フックを移動させる。例えば、試料１（上方部分）については、収縮時の寸法Ｋ１が２４４ｍｍであるところ、試料１をさらに２３５ｍｍ伸長した後に原点まで戻すことを２度繰り返し、２回目の５６ｍｍ伸長した時点の行きの応力と、２回目の１８１ｍｍ伸長した時点の戻りの応力とを測定して、試料１の伸長応力とした。一方、試料２の伸長応力についても、試料１と同様の測定方法によって求めた。
【００４８】
なお、上方部分５１における横方向Ｘの伸長応力が、下方部分５２における横方向Ｘの伸長応力よりも小さくてもよいし、上方部分５１における横方向Ｘの伸長応力と、下方部分５２における横方向Ｘの伸長応力とが同一でもよい。
【００４９】
図２，図３及び図５を参照すると、展開状態（非着用状態）のおむつ１０の伸長状態において、前後ウエストベルト１７，１８は、上側縁１７ｄ，１８ｄの長さ寸法Ｌ３が下側縁１７ｃ，１８ｃの長さ寸法Ｌ４よりも大きく、台形状をなしている。具体的には、例えば、通常のＭサイズのおむつにおいて、前後ウエストベルト１７，１８における上側縁１７ｄ，１８ｄの長さ寸法（上方部分５１の長さ寸法）Ｌ３は、５００〜６５０ｍｍ、下側縁１７ｃ，１８ｃの長さ寸法（下方部分５２の長さ寸法）Ｌ４は３００〜３５０ｍｍであって、幅方向の寸法Ｗ１は６０〜１８０ｍｍである。また、前後ウエストベルト１７，１８が収縮した状態においても、下側縁１７ｃ，１８ｃの長さ寸法Ｌ４は、上側縁１７ｄ，１８ｄの長さ寸法Ｌ３よりも小さくなっている。前後ウエストベルト１７，１８が伸長された状態及び収縮された状態において、下側縁１７ｃ，１８ｃの長さ寸法Ｌ４は、上側縁１７ｄ，１８ｄの長さ寸法Ｌ３の６０〜９０％の大きさを有する。
【００５０】
前後ウエストベルト１７，１８の上側縁１７ｄ，１８ｄの長さ寸法Ｌ３と、本体１６の縦方向Ｙの寸法Ｌ１とがほぼ等しく、且つ  前後ウエストベルト１７，１８の下側縁１７ｃ，１８ｃの長さ寸法Ｌ４と、本体１６における第１及び第２側縁１６ｃ，１６ｄの長さ寸法とがほぼ等しい。これにより、前後ウエストベルト１７，１８が横方向Ｘへ長いため、前後ウエストベルト１７，１８を胴回り方向へ延ばしやすい。よって、連結手段７０Ａ，７０Ｂの連結が容易である。
【００５１】
図５（ａ），（ｂ）を参照すると、前接合ライン１９Ａの内側縁を形成する前ウエストベルト１７と本体１６との境界ライン６０と、境界ライン６０の交点６１における上側縁１７ｄと直交する（縦中心線Ｐと並行に延びる）仮想線６２との角度をθ１とし、後接合ライン１９Ｂの内側縁を形成する後ウエストベルト１８と本体１６との境界ライン６３と、境界ライン６３の交点６４における上側縁１８ｄと直交する（縦中心線Ｐと並行に延びる）仮想線６５との角度をθ２とすると、角度θ１と角度θ２とは同一である。ただし、必要に応じで、それらの角度θ１，θ２が互いに異なる大きさであってもよく、その場合には、着用時においておむつ１０の前側（腹側）と後側（背側）とを容易に識別することができる。
【００５２】
図５を参照すると、吸収体２３の縦方向Ｙの寸法Ｌ２は、おむつ１０（本体１６）の縦方向Ｙの寸法Ｌ１の約６５〜９５％の大きさを有する。通常、おむつの縦方向の寸法に対して吸収体の縦方向の寸法は約６０％の大きさであって、おむつの吸収体から縦方向の外側に位置するシート部材のみから形成された部分の面積が比較的に大きくなっている。本実施形態においては、吸収体２３が所要の吸収性能を発揮しうるのに十分な長さ寸法を有する一方、それよりも縦方向Ｙの外側に位置するシート部材のみからなる部分の面積を比較的に小さくすることによって、より少ない資材で製造することができ、製造コストを抑えることができる。本体１６の縦方向Ｙの寸法Ｌ１は、例えば、５００〜６００ｍｍである。また、吸収体２３の前後端縁２３ａ，２３ｂと本体１６の前後端縁１６ａ，１６ｂとが、通常のおむつに比べて近接しているために、着用状態においてウエスト開口１４が臍部よりも下に位置するようなローライズですっきりとした着用態様となる。また、吸収体２３の縦方向Ｙの寸法Ｌ２が、本体１６の縦方向Ｙの寸法Ｌ１の６５％未満では、乳幼児が着用するおむつの外観に近づき、外観をすっきりと見せることが困難となる、一方、吸収体２３の縦方向Ｙの寸法Ｌ２が、本体１６の縦方向Ｙの寸法Ｌ１の９５％を超えると、本体１６の前後端縁１６ａ，１６ｂと、吸収体前後端縁２３ａ，２３ｂとの距離が近いため、本体１６の前後端部２０Ａ，２０Ｂが着用者の肌から離れ、浮き上がってしまうため、外観をすっきりと見せることが困難となる。
【００５３】
このようなおむつ１０を着用する際、先ず、一方の手９ｂ（左手）で本体１６の前端部２０Ａを持ち、本体１６の前端部２０Ａを腹に当てる。次に、他方の手９ａ（右手）で本体１６の後端部２０Ｂを持ち、本体１６の後端部を背に当てる。
【００５４】
次いで、図６（ａ）に示すように、一方の手９ｂ（左手）で本体１６の前端部２０Ａを押さえながら、他方の手（右手）９ａで後ウエストベルト１８を横方向Ｘへ延ばす。次に、他方の手（右手）９ａで後ウエストベルト１８の第２端部１８Ａを持ちながら、第２端部１８Ａの第２フック部７１ｂを、前ウエスト域１１の第２ターゲット部７２ｂに連結することによって、本体１６と後ウエストベルト１８とを連結する。
【００５５】
次に、図６（ｂ）に示すように、他方の手（右手）９ａで本体１６の後端部２０Ｂを背に押し当てながら、一方の手（左手）９ｂで前ウエストベルト１７を横方向Ｘへ延ばす。一方の手（左手）９ｂで前ウエストベルト１７を横方向Ｘへ延ばしながら、前ウエストベルト１７の第１端部１７Ａの第１フック部７１ａを、後ウエスト域１２の第１ターゲット部７２ａに連結することによって本体１６と前ウエストベルト１７とを連結し、おむつ１０を身体に着用する。
【００５６】
このおむつ１０によれば、前ウエストベルト１７は、本体１６の後端部２０Ｂの第１側縁部２０Ｃに止着可能な第１端部１７Ａを有し、後ウエストベルト１８は、本体１６の前端部２０Ａの第２側縁部２０Ｄに止着可能な第２端部１８Ａを有する。これによって、体をひねって前後ウエストベルト１７，１８の第１及び第２端部１７Ａ，１８Ａを腹側へ持ってくる動作が不要となるため、着用者の身体への負担を軽減することができる。さらに、後ウエストベルト１８の第２側縁部２０Ｄは、腹側で本体１６に止着することができるため、視認しながら第２側縁部２０Ｄを本体１６に止着することができ、これによって、着用物品を容易に着用することができる。さらに、後ウエストベルト１８の第２端部１８Ａは、腹側で本体１６に連結することができるため、視認しながら第２端部１８Ａを本体１６に止着することができ、これによって、おむつ１０を容易に着用することができる。
【００５７】
加えて、本体１６は縦方向Ｙへ延びる複数条のレッグ弾性体２６を有し、前後接合ライン１９Ａ，１９Ｂは縦方向Ｙ及び横方向Ｘに対して傾斜する。これによって、おむつ１０の着用時、前ウエストベルト１７又は後ウエストベルト１８を横方向Ｘへ伸長させると、それによって本体１６も縦方向Ｙへ伸長するため、着用状態において、本体１６を着用者の身体にフィットさせることができる。
【００５８】
さらに、第１ターゲット部７２ａは、第１側縁部２０Ｃの側から縦中心線Ｐを超えて第２側縁部２０Ｄの側へ延び、第２ターゲット部７２ｂは、第２側縁部２０Ｄの側から縦中心線Ｐを超えて第１側縁部２０Ｃの側へ延びる。これによって、第１ターゲット部７２ａ及び第２ターゲット部７２ｂが横方向Ｘへ大きいため、おむつ１０の着用時、第１端部１７Ａを第１ターゲット部７２ａに容易に止着することができるとともに、第２端部１８Ａを第２ターゲット部７２ｂに容易に止着することができる。
【００５９】
加えて、吸収体２３の吸収体両側縁２３ｃは、縦方向Ｙへ直線状に延びるため、おむつ１０の着用時、両脚の間に位置する吸収体が両脚の動きの邪魔になるのを抑えることができる。なお、吸収体２３の吸収体両側縁２３ｃは、縦方向の中央へ向かうに従い互いの離隔距離が小さくなる凹曲状であっても同様の作用・効果を奏することができる。
【００６０】
このようなおむつ１０において、後接合ライン１９Ｂにおける後ウエストベルト１８と本体１６との接合力が、前接合ライン１９Ａにおける前ウエストベルト１７と本体１６との接合力よりも大きくなるように前後接合ライン１９Ａ，１９Ｂを形成してもよい。例えば、後接合ライン１９Ｂを、互いに隣接する２条のシール部によって形成する一方、前接合ライン１９Ａを１条のシール部によって形成し、両者のシール部の長さ及び幅を同一にすれば、上述のような前後接合ライン１９Ａ，１９Ｂを形成することができる。このような前後接合ライン１９Ａ，１９Ｂによれば、おむつ１０の廃棄時、前ウエスト域１１における本体１６と前ウエストベルトと１７の間に位置する前接合ライン１９Ａ若しくはその前接合ライン１９Ａの近傍を簡単に破ることができるから、容易に廃棄することができる。
【００６１】
図７は、本発明のおむつ１０における第２端部１８Ａの第１変形例である。第１変形例においては、上方に位置する上方フック部７３と、上方フック部７３の下方に位置する下方フック部７４とで第２フック部７１ｂを構成してある。上方フック部７３の外形輪郭は円形である一方、下方フック部７４の外形輪郭は三角形であるため、上方フック部７３と下方フック部７４とは、相互に形状が相違する。加えて、上方フック部７３と下方フック部７４とは、縦方向Ｙにおいて離れるように配置してある。これによって、前後ウエストベルト１７，１８の上下を容易に認識することができる。加えて、上方フック部７３と下方フック部７４とは、縦方向Ｙにおいて離れるように配置してあるため、着用時、上方フック部７３及び下方フック部７４を個別に取り付けることが可能であるため、しわを可及的に少なくして着用することが可能になる。なお、第１端部１７Ａを同様に構成することもできる。
【００６２】
＜第２実施形態＞
図８及び図９は、本発明に係るおむつ１０の第２実施形態である。前後ウエストベルト１７，１８の第１及び第２端部１７Ａ，１８Ａは、縦方向Ｙにおいて、縦中心線Ｐと並行な端縁１７ａ，１８ａを有し、略矩形状の第１及び第２フック部７１ａ，７１ｂを有している。
【００６３】
本体１６の前ウエスト域１１は、前端縁１６ａと第２側縁１６ｄとがほぼ直交するように交差し、第１ターゲット部７２ａは、第２側縁１６ｄまで横方向Ｘへ延びている。このため、本体１６の前ウエスト域１１は、横方向Ｘにおいて、前ウエストベルト１７を接合している側の形状と、前ウエストベルト１７を接合していない側の形状とが異なる。また、本体１６における後ウエスト域１２の非肌対向面に位置する第１ターゲット部（第１止着域）７２ａは、横方向Ｘにおいて、第１側縁１６ｃから後接合ライン１９Ｂまで延び、少なくとも後端縁１６ｂ側における横方向Ｘにおいて、第２側縁１６ｄ側から縦中心線Ｐまでの寸法Ｌ５と、縦中心線Ｐから第１側縁１６ｃ側までの寸法Ｌ６とが異なる。この第１ターゲット部７２ａの横方向Ｘの寸法（寸法Ｌ５と寸法Ｌ６とを加算した寸法）は、第１実施形態の第１ターゲット部７２ａの横方向Ｘの寸法よりも大きくなる。よって、このおむつ１０によれば、第１ターゲット部７２ａの面積が大きくなるため、第１フック部７１ａと第１ターゲット部７２ａとの連結が容易になるととともに、連結の際における腕の動作範囲を狭くすることができる。加えて、形状を簡素にして製造を容易にすることができる。
【００６４】
本体１６の後ウエスト域１２は、後端縁１６ｂと第１側縁１６ｃがほぼ直交するように交差し、第２ターゲット部７２ｂは、第１側縁１６ｃまで横方向Ｘへ延びている。このため、本体１６の後ウエスト域１２は、横方向Ｘにおいて、後ウエストベルト１８を接合している側の形状と、後ウエストベルト１８を接合していない側の形状とが異なる。また、本体１６における前ウエスト域１１の非肌対向面に位置する第２ターゲット部（第２止着域）７２ｂは、横方向Ｘにおいて第２側縁１６ｄから前接合ライン１９Ａまで延び、少なくとも前端縁１６ａ側における横方向Ｘにおいて、第１側縁１６ｃ側から縦中心線Ｐまでの寸法Ｌ７と、縦中心線Ｐから第２側縁１６ｄ側までの寸法Ｌ８とが異なる。この第２ターゲット部７２ｂの横方向Ｘの寸法（寸法Ｌ７とＬ８とを加算した寸法）は、第１実施形態の第２ターゲット部７２ｂの横方向の寸法よりも大きくなる。よって、このおむつ１０によれば、第２ターゲット部７２ｂの面積が大きくなるため、第２フック部７１ｂと第２ターゲット部７２ｂとの連結が容易になるととともに、連結の際における腕の動作範囲を狭くすることができる。加えて、形状を簡素にして製造を容易にすることができる。
【００６５】
おむつ１０を構成する各構成部材には、本明細書に記載されている材料のほかに、この種の物品において通常用いられている各種の公知の材料を制限なく用いることができる、また、本発明の明細書及び特許請求の範囲において、「第１」および「第２」の用語は、同様の要素、位置などを単に区別するために用いられている。
【００６６】
なお、上記実施形態では、図２及び図８に示すように、本体１６の前ウエスト域１１の右側に前ウエストベルト１７を固定し、本体１６の後ウエスト域１２の左側に後ウエストベルト１８を固定するものを説明した。しかし、この発明はそれに限られず、本体１６の前ウエスト域１１の左側に前ウエストベルトを固定し、本体１６の後ウエスト域１２の右側に後ウエストベルトを固定してもよい。
【００６７】
さらに、上述した実施形態には、前ウエストベルト１７の第１端部１７Ａに位置する第１フック部７１ａと、本体１６における後ウエスト域１２の非肌対向面に位置する第１ターゲット部（止着域）７２ａとで連結手段７０Ａを画成するものを説明した。しかし、この発明は、それに限られず、前ウエストベルト１７の第１端部１７Ａに位置する第１ターゲット部と、本体における後ウエスト域１２の非肌対向面に位置する第１フック部（止着域）とで連結手段７０Ａを画成してもよい。また、第１及び第２フック部が肌対向面側に位置し、第１及び第２ターゲット部が非肌対向面側に位置するおむつ１０を説明した。しかし、この発明はそれに限られず、第１及び第２フック部が非肌対向面側に位置し、第１及び第２ターゲット部が肌対向面側に位置してもよい。
【００６８】
また、後ウエストベルト１８の第２端部１８Ａに位置する第２フック部７１ｂと、本体１６における前ウエスト域１１の非肌対向面に位置する第２ターゲット部（止着域）７２ｂとで連結手段７０Ｂを画成するものを説明した。しかし、この発明は、それに限られず、後ウエストベルト１８の第２端部１８Ａに位置する第２ターゲット部と、本体における前ウエスト域１１の非肌対向面に位置する第２フック部（止着域）とで連結手段７０Ｂを画成してもよい。
【符号の説明】
【００６９】
１０    使い捨ておむつ（使い捨て着用物品）
１１    前ウエスト域
１２    後ウエスト域
１３    クロッチ域
１４    ウエスト開口
１５    レッグ開口
１６    本体（おむつ本体）
１６ｃ  第１側縁
１６ｄ  第２側縁
１７    前ウエストベルト
１７Ａ  第１端部
１８    後ウエストベルト
１８Ａ  第２端部
１９Ａ  前接合ライン
１９Ｂ  後接合ライン
２０Ａ  前端部
２０Ｂ  後端部
２０Ｃ  第１側縁部
２０Ｄ  第２側縁部
２３    吸収体
２３ｃ  吸収体両側縁
２６    レッグ弾性体
５１    上方部分
５２    下方部分
７１ａ  第１フック部
７１ｂ  第２フック部
７２ａ  第１ターゲット部（第１止着域）
７２ｂ  第２ターゲット部（第２止着域）
７３    上方フック部
７４    下方フック部
Ｐ      縦中心線
Ｘ      横方向
Ｙ      縦方向
【図１】
2019118544.tif 000003
【図２】
2019118544.tif 000004
【図３】
2019118544.tif 000005
【図４】
2019118544.tif 000006
【図５】
2019118544.tif 000007
【図６】
2019118544.tif 000008
【図７】
2019118544.tif 000009
【図８】
2019118544.tif 000010
【図９】
2019118544.tif 000011